(57)【要約】【課題】  一対の顎が接離する方向と直交する全ての方向で、可動体が本体に対してがたつくのを抑制できるモンキーレンチを提供する。【解決手段】  固定顎１１を有する本体１は、軸心Ｃ１が接離方向に沿って配置され且つ可動体２をガイドするガイド孔部１２を備え、可動顎２１を有する可動体２は、ガイド孔部１２にガイドされるべくガイド孔部１２に挿入される柱状部２２を備え、ガイド孔部１２は、柱状部２２に突設される可動顎２が貫通するための開放部１２１を接離方向に沿って備えるモンキーレンチにおいて、ガイド孔部１２における軸心Ｃ１から開放部１２１に向かう方向と、当該方向及びガイド孔部の軸心Ｃ１に直交する方向との両方向において、柱状部２２の軸心Ｃ２がガイド孔部１２の軸心Ｃ１とそれぞれ傾斜して交差した状態で、柱状部２２が保持されるべく、柱状部２２を付勢する第１の付勢手段３を備えることを特徴とする。【選択図】  図２
2011230273.tif 000002
【特許請求の範囲】
【請求項１】
固定顎を有する本体と、固定顎と所定の接離方向で接離する可動顎を有し、一対の顎が接離するように本体に対して接離方向で相対的に変位する可動体とを備え、
本体は、軸心が接離方向に沿って配置され且つ可動体をガイドするガイド孔部を備え、
可動体は、ガイド孔部にガイドされるべくガイド孔部に挿入される柱状部を備え、
ガイド孔部は、柱状部に突設される可動顎が貫通するための開放部を接離方向に沿って備えるモンキーレンチにおいて、
ガイド孔部における軸心から開放部に向かう方向と、当該方向及びガイド孔部の軸心に直交する方向との両方向において、柱状部の軸心がガイド孔部の軸心とそれぞれ傾斜して交差した状態で、柱状部が保持されるべく、柱状部を付勢する第１の付勢手段を備えることを特徴とするモンキーレンチ。
【請求項２】
可動体を本体に対して変位させるべく、接離方向を中心に回転されるウォームを備え、
柱状部は、軸心方向に沿って並べられ且つウォームと噛合する複数の板状部を備え、
少なくとも一つの板状部は、柱状部が第１の付勢手段に付勢されることにより、両方の面がウォームと当接するように互いの間隔が設定されてなる請求項１に記載のモンキーレンチ。
【請求項３】
ウォームを接離方向で付勢する第２の付勢手段を備える請求項２に記載のモンキーレンチ。
【発明の詳細な説明】
【技術分野】
【０００１】
本発明は、固定顎を有する本体と、固定顎と所定の接離方向で接離する可動顎を有する可動体とを備えるモンキーレンチに関する。
【背景技術】
【０００２】
従来、固定顎を有する本体と、固定顎と所定の接離方向で接離する可動顎を有する可動体とを備えるモンキーレンチ（「自在スパナ」ともいう）として、可動体に、本体のガイド孔部に挿入され且つ接離方向でガイドされる柱状部が設けられると共に、柱状部を付勢する付勢手段が設けられるモンキーレンチが知られている（例えば、特許文献１）。斯かるモンキーレンチによれば、一対の顎の先端部同士が離反する状態となるように、付勢手段が可動体を付勢している。
【先行技術文献】
【特許文献】
【０００３】
【特許文献１】特開２００４−４２２４０号公報
【発明の概要】
【発明が解決しようとする課題】
【０００４】
ところで、特許文献１に係るモンキーレンチにおいては、付勢手段が可動体を付勢することにより、可動顎の先端部が固定顎の先端部から離反するような所定方向で、可動体が本体に対してがたつくのを抑制できる。しかしながら、斯かるモンキーレンチは、当該所定方向でない方向、即ち、一対の顎が接離する方向と直交する全ての方向において、可動体が本体に対してがたつくのを抑制できるとは限らないものである。
【０００５】
よって、本発明は、斯かる事情に鑑み、一対の顎が接離する方向と直交する全ての方向で、可動体が本体に対してがたつくのを抑制できるモンキーレンチを提供することを課題とする。
【課題を解決するための手段】
【０００６】
本発明に係るモンキーレンチは、固定顎を有する本体と、固定顎と所定の接離方向で接離する可動顎を有し、一対の顎が接離するように本体に対して接離方向で相対的に変位する可動体とを備え、本体は、軸心が接離方向に沿って配置され且つ可動体をガイドするガイド孔部を備え、可動体は、ガイド孔部にガイドされるべくガイド孔部に挿入される柱状部を備え、ガイド孔部は、柱状部に突設される可動顎が貫通するための開放部を接離方向に沿って備えるモンキーレンチにおいて、ガイド孔部における軸心から開放部に向かう方向と、当該方向及びガイド孔部の軸心に直交する方向との両方向において、柱状部の軸心がガイド孔部の軸心とそれぞれ傾斜して交差した状態で、柱状部が保持されるべく、柱状部を付勢する第１の付勢手段を備えることを特徴とする。
【０００７】
本発明に係るモンキーレンチによれば、第１の付勢手段が柱状部を付勢することで、ガイド孔部における軸心から開放部に向かう方向と、当該方向及びガイド孔部の軸心に直交する方向との両方向において、柱状部の軸心がガイド孔部の軸心とそれぞれ傾斜して交差した状態で、柱状部が保持される。これにより、柱状部の径方向の全ての方向で、可動体が本体に対してがたつくのを抑制できる。
【０００８】
また、本発明に係るモンキーレンチにおいては、可動体を本体に対して変位させるべく、接離方向を中心に回転されるウォームを備え、柱状部は、軸心方向に沿って並べられ且つウォームと噛合する複数の板状部を備え、少なくとも一つの板状部は、柱状部が第１の付勢手段に付勢されることにより、両方の面がウォームと当接するように互いの間隔が設定される構成でもよい。
【０００９】
斯かる構成のモンキーレンチによれば、ウォームが接離方向を中心に回転されると、軸心方向に沿って並べられる複数の板状部がウォームと噛合するため、可動体が本体に対して変位する。そして、柱状部が第１の付勢手段に付勢されることにより、互いの間隔が所定の距離で設定されている複数の板状部のうち、少なくとも一つの板状部における両方の面がウォームと当接する。これにより、柱状部の軸方向でも、可動体が本体に対してがたつくのを抑制できる。
【００１０】
また、本発明に係るモンキーレンチにおいては、ウォームを接離方向で付勢する第２の付勢手段を備えてもよい。
【００１１】
斯かる構成のモンキーレンチによれば、第２の付勢手段が接離方向でウォームを付勢するため、ウォームが本体に対して接離方向でがたつくのを抑制できる。これにより、少なくとも一つの板状部における両方の面がウォームと当接しているため、柱状部の軸方向において、可動体が本体に対してがたつくのをより確実に抑制できる。
【発明の効果】
【００１２】
以上の如く、本発明に係るモンキーレンチによれば、柱状部の径方向の全ての方向で、可動体が本体に対してがたつくのを抑制できるため、一対の顎が接離する方向と直交する全ての方向で、可動体が本体に対してがたつくのを抑制できるという優れた効果を奏する。
【図面の簡単な説明】
【００１３】
【図１】本発明の一実施形態に係るモンキーレンチの全体図であって、（ａ）は平面図、（ｂ）は正面図を示す。
【図２】同実施形態に係るモンキーレンチの要部拡大図であって、（ａ）は図１（ｂ）のＢ−Ｂ線における断面図、（ｂ）は図２（ａ）のＤ−Ｄ線における断面図を示す。
【図３】同実施形態に係るモンキーレンチの要部拡大図であって、（ａ）は図２（ａ）のＥ−Ｅ線における断面図、（ｂ）は正面図を示す。
【図４】同実施形態に係るモンキーレンチの各軸心位置及び各接点位置を説明する要部拡大図であって、（ａ）は図１（ｂ）のＢ−Ｂ線における断面図、（ｂ）は図２（ａ）のＤ−Ｄ線における断面図を示す。
【図５】同実施形態に係るモンキーレンチの各軸心位置及び各接点位置を説明する要部拡大図であって、（ａ）は図２（ａ）のＥ−Ｅにおける断面図、（ｂ）は正面図を示す。
【図６】本発明の他の実施形態に係るモンキーレンチの各接点位置を説明する要部拡大図であって、（ａ）は横断面図、（ｂ）は縦断面図、（ｃ）は正面図を示す。
【図７】本発明のさらに他の実施形態に係るモンキーレンチの要部拡大図であって、（ａ）は縦断面図、（ｂ）は横断面図を示す。
【発明を実施するための形態】
【００１４】
以下、本発明に係るモンキーレンチにおける一実施形態について、図１〜図５を参酌して説明する。
【００１５】
本実施形態に係るモンキーレンチは、図１〜図３に示すように、固定顎１１を先端部に有する板状の本体１と、可動顎２１を有する板状の可動体２とを備える。そして、モンキーレンチは、可動体２が本体１に対して所定方向（図１（ａ）のＡ矢印方向であって、以下「接離方向」という）で相対的に変位することにより、固定顎１１と可動顎２１とが接離方向で接離するように構成される。
【００１６】
また、モンキーレンチは、可動体２を付勢する第１の付勢手段３を備える。さらに、モンキーレンチは、可動体２を本体１に対して変位させる際に操作されるべく、接離方向を中心に回転されるウォーム４と、接離方向でウォーム４を付勢する第２の付勢手段５とを備える。
【００１７】
本体１は、軸心Ｃ１（図４参照）が接離方向に沿って配置され且つ可動体２をガイドするガイド孔部１２を備える。また、本体１は、固体顎１１と反対方向に向かって延出し且つ把持される把持柄１３と、ウォーム４を内部に配置するための窓穴１４とを備える。
【００１８】
固定顎１１は、可動顎２１とでボルトやナット等の対象物を挟持する第１の挟持面１１１を備える。そして、第１の挟持面１１１は、接離方向と直交するように、即ち、ガイド孔部１２の軸心Ｃ１と直交するように配置されている。
【００１９】
ガイド孔部１２は、真円状に形成される一方、可動顎２１が貫通するために、周方向の一部を開放する開放部１２１が設けられている。そして、開放部１２１は、可動体２が本体１に対して接離方向で変位する際に、可動顎２１が接離方向で通過するように、接離方向に沿って配置されている。
【００２０】
可動体２は、ガイド孔部１２内にスライド自在に挿入される略円柱状の柱状部２２を備える。なお、可動顎２１は、柱状部２２の外周部から平板状に突設されている。即ち、可動顎２１の基端部は、柱状部２２の軸心方向に沿って配置されると共に、柱状部２２の外周部に連結されている。
【００２１】
可動顎２１は、固定顎１１の第１の挟持面１１１とで対象物を挟持する第２の挟持面２１１を備える。そして、第２の挟持面２１１は、柱状部２２の軸心Ｃ２（図４参照）と傾斜して交差するように配置されている。
【００２２】
柱状部２２は、外周部における可動顎２１が突出する側と反対側（以下、単に「反対側」という）に、第１の付勢手段３を収容するための凹状の収容部２２１を備える。また、柱状部２２は、可動顎２１の外周部の反対側に、軸心方向に沿って並べられる複数（本実施形態においては七つ）の板状部２２２，…を備える。
【００２３】
板状部２２２，…は、ウォーム４の外周部と噛合する。そして、板状部２２２，…は、互いに平行となるように配置されると共に、柱状部２２の軸心Ｃ２と傾斜して交差するように配置される。また、板状部２２２，…は、互いの間隔が所定の間隔となるように設定されている。具体的には、柱状部２２が第１の付勢手段３に付勢されることにより、少なくとも一つの板状部２２２における両方の面がウォーム３と当接するように、互いの間隔が設定されている。
【００２４】
第１の付勢手段３は、本体２のガイド孔部１２の内周部に当接する球状の当接部材３１と、当接部材３１及び柱状部２２間に配置される円筒状の第１の弾性体３２とを備える。そして、第１の付勢手段３は、当接部材３１の少なくとも一部と第１の弾性体３２とが柱状部２２の収容部２２１に収容されることにより、当接部材３１がガイド孔部１２にガイドされると共に、柱状部２２（可動体２）と一体的になって本体１に対して変位する。
【００２５】
また、第１の付勢手段３は、平板状の可動顎２１と傾斜して交差する方向で、柱状部２２を付勢する。さらに、第１の付勢手段３は、柱状部２２の軸心Ｃ２と直交する（仮想の）面と傾斜して交差する方向で、柱状部２２を付勢する。加えて、第１の付勢手段３は、柱状部２２の軸心方向における一端側（固定顎１１側）を付勢する。
【００２６】
ウォーム４は、本体１に固定される支軸６に挿通される円筒状のウォーム本体４１と、ウォーム本体４１の外周部に螺旋状に配置され、柱状部２２の板状部２２２，…と噛合する噛合部４２とを備える。また、ウォーム４は、ウォーム本体４１の一端側に第２の付勢手段５を収容するための凹部４３を備える。なお、支軸６は、軸心が接離方向に沿って配置されている。
【００２７】
第２の付勢手段５は、本体１とウォーム４との間であって且つウォーム４の軸心方向における一端側（固定顎１１側）に配置される第２の弾性体５１を備える。そして、第２の弾性体５１は、円筒状に形成され、支軸６に挿通されている。
【００２８】
以下、説明の便宜上、図４及び図５に示すように、ガイド孔部１２における軸心Ｃ１から開放部１２１に向かう方向で、且つガイド孔部１２の軸心Ｃ１に直交する方向を「Ｘ方向」といい、当該Ｘ方向に直交する方向で、且つガイド孔部１２の軸心Ｃ１に直交する方向を「Ｙ方向」といい、ガイド孔部１２の軸心Ｃ１に平行な方向を「Ｚ方向」という。
【００２９】
以上のような構成を有する本実施形態に係るモンキーレンチによれば、第１の付勢手段３が、円筒状の第１の弾性体３２の軸心方向に柱状部２２を付勢する。具体的には、第１の付勢手段３は、平板状の可動顎２１と傾斜して交差する方向であって、且つ柱状部２２の軸心Ｃ２と直交する（仮想の）面と傾斜して交差する方向で、柱状部２２を付勢する。すると、図４及び図５に示すように、柱状部２２の軸心Ｃ２が、ガイド孔部１２の軸心Ｃ１と、Ｘ方向及びＹ方向において傾斜して交差する。
【００３０】
換言すると、ガイド孔部１２における軸心Ｃ１から開放部１２１に向かう方向と直交する（仮想の）面（ＹＺ平面）と、ガイド孔部１２の軸心Ｃ１と直交する（仮想の）面（ＸＹ平面）とにおいて、柱状部２２の軸心Ｃ２は、それぞれ傾斜して交差する。なお、柱状部２２の軸心Ｃ２は、ガイド孔部１２における軸心Ｃ１から開放部１２１に向かう方向に平行で、且つガイド孔部１２の軸心Ｃ１に平行な（仮想の）面（ＺＸ平面）においても、傾斜して交差している。
【００３１】
これにより、柱状部２２の軸心方向の一端側（固定顎１１側）においては、柱状部２２における可動顎１２が突出する側（以下、単に「突出側」という）の外周部と、当接部材３１とが、ガイド孔部１２の内周部と当接すると共に、柱状部２２の軸心方向の他端側（可動顎２１側）においては、可動顎２１の基端側が、ガイド孔部１２の開放部１２１側と当接する。
【００３２】
その結果、Ｘ方向及びＹ方向において、ガイド孔部１２の軸心Ｃ１と柱状部２２の軸心Ｃ２とがそれぞれ傾斜して交差した状態で、柱状部２２が保持されるため、柱状部２２の径方向の全ての方向で、可動体２が本体１に対してがたつくのを抑制できる。したがって、一対の顎１１，２１が接離する方向と直交する全ての方向で、可動体２が本体１に対してがたつくのを抑制できる。
【００３３】
なお、図４及び図５において、柱状部２２の突出側の外周部とガイド孔部１２の内周部とが当接する接点をＴ１、当接部材３１とガイド孔部１２の内周部とが当接する接点をＴ２、可動顎２１の基端側とガイド孔部１２の開放部１２１側とが当接する接点をＴ３で図示している。
【００３４】
また、本実施形態に係るモンキーレンチによれば、第１の付勢手段３が、柱状部２２の軸心方向における一端側（固定顎１１側）であって、柱状部２２の外周部の反対側から、柱状部２２を付勢する。これにより、可動顎２１の先端部が固定顎１１の先端部から離反するような状態で、柱状部２２が付勢されて保持されている。
【００３５】
ここで、一対の顎１１，２１で対象物を挟持する際に、作業者がモンキーレンチに力を作用させた場合、一対の顎１１，２１が離反する方向に力が作用する。したがって、一対の顎１１，２１の離間距離を調整した後で、作業者がモンキーレンチに力を作用させても、第１の付勢手段３の付勢力に反して可動体２が本体１に対してがたつく（位置ずれする）のを防止できる。
【００３６】
また、本実施形態に係るモンキーレンチによれば、柱状部２２が第１の付勢手段３に付勢されることにより、ウォーム４の噛合部４２と噛合している板状部２２２，…の両方の面がウォーム４の噛合部４２と当接する。これにより、柱状部２２の径方向だけでなく、柱状部２２の軸方向でも、可動体２が本体１に対してがたつくのを抑制できる。
【００３７】
また、本実施形態に係るモンキーレンチによれば、第２の付勢手段５が接離方向でウォーム４を付勢するため、ウォーム４が本体１に対して接離方向でがたつくのを抑制できる。これにより、ウォーム４の噛合部４２と噛合している板状部２２２，…の両方の面がウォーム４の噛合部４２と当接しているため、柱状部２２の軸方向で、可動体２が本体１に対してがたつくのをより確実に抑制できる。
【００３８】
また、本実施形態に係るモンキーレンチによれば、可動顎２１の第２の挟持面２１１が柱状部２２の軸心Ｃ２と傾斜して交差するように配置されている。したがって、柱状部２２が第１の付勢手段３に付勢されることで、柱状部２２の軸心Ｃ２がガイド孔部１２の軸心Ｃ１とＸ方向及びＹ方向において傾斜して交差することにより、固定顎１１の第１の挟持面１１１と可動顎２１の第２の挟持面２１１とが平行に配置されることになる。
【００３９】
なお、本発明に係るモンキーレンチは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４０】
例えば、上記実施形態に係るモンキーレンチにおいては、柱状部２２の突出側の外周部とガイド孔部１２の内周部との接点Ｔ１と、当接部材３１とガイド孔部１２の内周部との接点Ｔ２と、可動顎２１の基端側とガイド孔部１２の開放部１２１側との接点Ｔ３とで、本体１と可動体２とが当接することにより、柱状部２２が保持される場合を説明したが、斯かる場合に限られない。
【００４１】
具体的には、接点Ｔ３の代わりに、図６に示すように、柱状部２２の軸心方向の一端側（可動顎２１側）においては、柱状部２２の反対側の外周部と、ガイド孔部１２の内周部とが接点Ｔ４で当接するため、本体１と可動体２とが接点Ｔ１，Ｔ２，Ｔ４で当接することで、柱状部２２が保持される場合でもよい。
【００４２】
また、上記実施形態に係るモンキーレンチにおいては、第１の付勢手段３は、平板状の可動顎２１と傾斜して交差する方向で、且つ柱状部２２の軸心Ｃ２と直交する（仮想の）面と傾斜して交差する方向で、柱状部２２を付勢する場合を説明したが、斯かる場合に限られない。
【００４３】
例えば、図７（ａ）に示すように、第１の付勢手段３は、平板状の可動顎と平行な方向で、且つ柱状部２２の軸心Ｃ２から外れた位置で、柱状部２２を付勢する場合でもよい。要するに、第１の付勢手段は、ガイド孔部１２における軸心Ｃ１から開放部１２１に向かう方向（Ｘ方向）と、当該方向及び軸心Ｃ１に直交する方向との両方向において、柱状部２２の軸心Ｃ２がガイド孔部１２の軸心Ｃ１とそれぞれ傾斜して交差した状態で、柱状部２２が保持されるように、柱状部２２を付勢するように配置されていればよい。
【００４４】
また、上記実施形態に係るモンキーレンチにおいては、当接部材３１の少なくとも一部及び第１の弾性体３２を収容する収容部２２１が、柱状部２２に設けられる場合を説明したが、斯かる場合に限られない。
【００４５】
例えば、図７（ｂ）に示すように、当接部材３１の少なくとも一部及び第１の弾性体３２を収容する収容部１２２が、ガイド孔部１２０に設けられる場合でもよい。そして、図７（ｂ）に示す第１の付勢手段３０は、柱状部２２の外周部に当接する球状の当接部材３１と、当接部材３１及びガイド孔部１２０間に配置される円筒状の第１の弾性体３２とを備える。
【００４６】
また、上記実施形態に係るモンキーレンチにおいては、第１の付勢手段３が球状の当接部材３１及び筒状の第１の弾性体（スプリング、コイルバネ）３２を備える場合を説明したが、斯かる場合に限られず、例えば、第１の付勢手段が板状の弾性体（板バネ）を備える場合でもよい。要するに、第１の付勢手段は、所定方向に柱状部２２を付勢する構成であればよい。
【００４７】
また、上記実施形態に係るモンキーレンチにおいては、第２の付勢手段５が筒状の第２の弾性体（スプリング、コイルバネ）５１を備える場合を説明したが、斯かる場合に限られず、例えば、第２の付勢手段が板状の弾性体（板バネ）を備える場合でもよい。要するに、第２の付勢手段は、ウォームを接離方向に付勢する構成であればよい。
【００４８】
また、上記実施形態に係るモンキーレンチにおいては、第１の付勢手段３が一つの当接部材３１及び一つの第１の弾性体３２を備える場合を説明したが、斯かる場合に限られない。例えば、第１の付勢手段は、球状の当接部材３１及び筒状の第１の弾性体３２を複数備える場合でもよく、しかも、それぞれが異なる位置や方向で柱状部２２を付勢する場合でもよい。
【符号の説明】
【００４９】
１…本体、２…可動体、３…第１の付勢手段、４…ウォーム、５…第２の付勢手段、１１…固定顎、１２…ガイド孔部、２２…柱状部、１２１…開放部、２２２…板状部、Ｃ１…（ガイド孔部の）軸心、Ｃ２…（柱状部の）軸心
【図１】
2011230273.tif 000003
【図２】
2011230273.tif 000004
【図３】
2011230273.tif 000005
【図４】
2011230273.tif 000006
【図５】
2011230273.tif 000007
【図６】
2011230273.tif 000008
【図７】
2011230273.tif 000009
【手続補正書】
【提出日】平成22年7月29日(2010.7.29)
【手続補正１】
【補正対象書類名】特許請求の範囲
【補正対象項目名】請求項２
【補正方法】変更
【補正の内容】
【請求項２】
可動体を本体に対して変位させるべく、接離方向を中心に回転されるウォームを備え、
柱状部は、軸心方向に沿って並べられ且つウォームと噛合する複数の板状部を備え、
複数の板状部は、柱状部の軸心方向と交差するようにそれぞれ配置されると共に、柱状部が第１の付勢手段に付勢されることにより、少なくとも一つの板状部における両方の面がウォームと当接するように、互いの間隔が設定されてなる請求項１に記載のモンキーレンチ。
【手続補正２】
【補正対象書類名】明細書
【補正対象項目名】０００８
【補正方法】変更
【補正の内容】
【０００８】
また、本発明に係るモンキーレンチにおいては、可動体を本体に対して変位させるべく、接離方向を中心に回転されるウォームを備え、柱状部は、軸心方向に沿って並べられ且つウォームと噛合する複数の板状部を備え、複数の板状部は、柱状部の軸心方向と交差するようにそれぞれ配置されると共に、柱状部が第１の付勢手段に付勢されることにより、少なくとも一つの板状部における両方の面がウォームと当接するように、互いの間隔が設定される構成でもよい。